(57)【要約】      （修正有）【課題】傾斜板部の向きを所望の向きにできる包装箱を提供する。【解決手段】側面部の一部が分離部として分離可能な内箱部Ａ１と、内箱部を覆い、その側面部において切目線により形成された片部が分離部２４と接着された外箱部Ａ２とを有する。内箱部の正面部１０が、正面本体部１２と、正面部の上方の先端の先端部１８と、先端部から折れ線を介して連設された傾斜板部１６と、傾斜板部と正面本体部間に設けられた前開部１４、１５とを有する。傾斜板部１６は、突状部１６−２を有し、先端部１８の切欠部Ｋ１８、Ｋ１９を切込みＫ１３、Ｋ１４に係止して正面部１０を組み立てた際に、突状部１６−２の先端が正面本体部１２の突状部１２−２に当接する。突状部１６−２の長さを調整することにより傾斜板部１６の向きを所望の向きにすることができる。【選択図】図３
0003179759.tif 000002
【実用新案登録請求の範囲】
【請求項１】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、
一対の内側側面部及び底面部と隣接して形成され、全体に凸状を呈する正面本体部で、方形状の基端部と、基端部の上端に連設され基端部の上辺の高さ位置よりも上方に突出して形成された第１突状部とを有し、基端部の上辺が正面本体部と底面部との間の折れ線である底辺と平行に形成された正面本体部と、
正面本体部における基端部の上辺から第１折れ線を介して連設され、正面本体部と反対側に第１折れ線と平行な第１辺部を有する第１前開部で、第１突状部の辺部と第１切込みを介して区画されるとともに、左右両側に、第１切込みから上方に向けて連設された第２切込みを有する第１前開部と、
第１前開部の第１辺部から第２折れ線を介して連設され、第１前開部と反対側に第１折れ線と平行な第２辺部を有する第２前開部と、
第２前開部の第２辺部から第３折れ線を介して連設された傾斜板部で、第２前開部と反対側に第１折れ線と平行な第３辺部を有する傾斜板部と、
傾斜板部における第３辺部から第４折れ線を介して連設された先端部で、その上端に第１前開部の第２切込みに係合するための係合部で切欠部又は切込みにより形成された係合部が形成された先端部と、
を有し、
傾斜板部又は先端部が、第４折れ線から高さ方向に突出した第２突状部を有し、
第１前開部を正面本体部に対して第１折れ線を介して正面側に折り曲げ、第２前開部を第１前開部に対して第２折れ線を介して第１前開部の折曲げ方向と反対方向に折り曲げるとともに、傾斜板部を第２前開部に対して第３折れ線を介して第２前開部の折曲げ方向と同じ方向に折り曲げ、先端部を傾斜板部に対して第４折れ線を介して第２前開部の折曲げ方向と同じ方向に折り曲げた状態で、先端部の係合部を第１前開部の第２切込みと係合させて正面部を組み立てることにより、第２突状部の先端が正面本体部における第１突状部の正面側の面に当接し、傾斜板部が斜め上方を向いた状態となることを特徴とする包装箱。
【請求項２】
第２突状部が、傾斜板部に設けられ、第４折れ線から上方の高さ方向に突出していることを特徴とする請求項１に記載の包装箱。
【請求項３】
第２突状部が、先端部に設けられ、第４折れ線から下方の高さ方向に突出していることを特徴とする請求項１に記載の包装箱。
【請求項４】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、
一対の内側側面部及び底面部と隣接して形成され、全体に凸状を呈する正面本体部で、方形状の基端部と、基端部の上端に連設され基端部の上辺の高さ位置よりも上方に突出して形成された第１突状部とを有し、基端部の上辺が正面本体部と底面部との間の折れ線である底辺と平行に形成された正面本体部と、
正面本体部における基端部の上辺から第１折れ線を介して連設され、正面本体部と反対側に第１折れ線と平行な第１辺部を有する第１前開部で、第１突状部の辺部と第１切込みを介して区画されるとともに、左右両側に、第１切込みから上方に向けて連設された第２切込みを有する第１前開部と、
第１前開部の第１辺部から第２折れ線を介して連設され、第１前開部と反対側に第１折れ線と平行な第２辺部を有する第２前開部と、
第２前開部の第２辺部から第３折れ線を介して連設された傾斜板部で、方形状の傾斜板部本体で第２前開部と反対側に第１折れ線と平行な第３辺部を有する傾斜板部本体と、傾斜板部の上端に連設され傾斜板部本体の上辺の高さ位置よりも上方に突出して形成された第２突状部で、第２前開部側とは反対側である先端側に第１折れ線と平行な辺部を有する第２突状部とを有する傾斜板部と、
傾斜板部における傾斜板部本体の第３辺部から第４折れ線を介して連設された先端部で、その上端に第１前開部の第２切込みに係合するための係合部で切欠部又は切込みにより形成された係合部が形成された先端部と、
を有し、
第１前開部を正面本体部に対して第１折れ線を介して正面側に折り曲げ、第２前開部を第１前開部に対して第２折れ線を介して第１前開部の折曲げ方向と反対方向に折り曲げるとともに、傾斜板部を第２前開部に対して第３折れ線を介して第２前開部の折曲げ方向と同じ方向に折り曲げ、先端部を傾斜板部に対して第４折れ線を介して第２前開部の折曲げ方向と同じ方向に折り曲げた状態で、先端部の係合部を第１前開部の第２切込みと係合させて正面部を組み立てることにより、傾斜板部における第２突状部の先端が正面本体部における第１突状部の正面側の面に当接し、傾斜板部が斜め上方を向いた状態となることを特徴とする包装箱。
【請求項５】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、
一対の内側側面部及び底面部と隣接して形成され、全体に凸状を呈する正面本体部で、方形状の基端部と、基端部の上端に連設され基端部の上辺の高さ位置よりも上方に突出して形成された第１突状部とを有し、基端部の上辺が正面本体部と底面部との間の折れ線である底辺と平行に形成された正面本体部と、
正面本体部における基端部の上辺から第１折れ線を介して連設され、正面本体部と反対側に第１折れ線と平行な第１辺部を有する第１前開部で、第１突状部の辺部と第１切込みを介して区画されるとともに、左右両側に、第１切込みから上方に向けて連設された第２切込みを有する第１前開部と、
第１前開部の第１辺部から第２折れ線を介して連設され、第１前開部と反対側に第１折れ線と平行な第２辺部を有する第２前開部と、
第２前開部の第２辺部から第３折れ線を介して連設された傾斜板部で、第２前開部と反対側に第１折れ線と平行な第３辺部を有する傾斜板部と、
傾斜板部の第３辺部から第４折れ線を介して連設された先端部で、その上端に第１前開部の第２切込みに係合するための係合部で切欠部又は切込みにより形成された係合部を有し、第４折れ線の高さ位置よりも下方に突出した第２突状部で、下方側である先端側に第１折れ線と平行な辺部を有する第２突状部を有する先端部と、
を有し、
第１前開部を正面本体部に対して第１折れ線を介して正面側に折り曲げ、第２前開部を第１前開部に対して第２折れ線を介して第１前開部の折曲げ方向と反対方向に折り曲げるとともに、傾斜板部を第２前開部に対して第３折れ線を介して第２前開部の折曲げ方向と同じ方向に折り曲げ、先端部を傾斜板部に対して第４折れ線を介して第２前開部の折曲げ方向と同じ方向に折り曲げた状態で、先端部の係合部を第１前開部の第２切込みと係合させて正面部を組み立てることにより、先端部における第２突状部の先端が正面本体部における第１突状部の正面側の面に当接し、傾斜板部が斜め上方を向いた状態となることを特徴とする包装箱。
【請求項６】
傾斜板部は、先端部側に第２突状部と隣接した切欠部で、正面部を組み立てた際に、被収納物を収納するための開口を形成する切欠部を有することを特徴とする請求項５に記載の包装箱。
【請求項７】
傾斜板部は、開口部を有し、正面部を組み立てた際に、該開口部から被収納物を収納可能であることを特徴とする請求項１又は２又は３又は４又は５に記載の包装箱。
【請求項８】
傾斜板部には、内箱部に収納された被収納物の広告が表示されていることを特徴とする請求項１又は２又は３又は４又は５又は６又は７に記載の包装箱。
【請求項９】
第１切目線が、ミシン目状の切込みにより形成され、第２切目線が、ミシン目状の切込み又は連続して形成された切込みにより形成されていることを特徴とする請求項１又は２又は３又は４又は５又は６又は７又は８に記載の包装箱。
【請求項１０】
底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする請求項１又は２又は３又は４又は５又は６又は７又は８又は９に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、底面部と正面部と両側の側面部と背面部とを有する箱体において、正面部が、底面部から連設された正面本体部と、正面部の上方の先端に位置する先端部と、先端部から折れ線を介して連設された傾斜板部と、傾斜板部と正面本体部間に設けられた前開部とを有し、正面本体部と傾斜板部の間に切込みにより形成された差込み部を設け、先端部を差込み部に差し込むことにより傾斜板部が傾斜して支持され、傾斜板部に告知事項を表示するものとして特許文献１に示すものが存在する。
【０００３】
つまり、特許文献１に記載のディスプレイ兼用カートンにおいては、正面板２の上辺延長上に順に表示板６、係止板７を連設し、正面板２の下辺から所定距離離れた位置に前記下辺に平行な表示部下端横折線Ｌ７を設け、表示部下端横折線に係止溝１７を刻設すると共に、表示部下端横折線の両端から正面板の上辺に向かって略平行な切目線を正面板の上端縁まで刻設して表示部下端横折線の上方に表示部重合板８を形成している。つまり、正面板２が上記正面本体部に相当し、係止板７が上記先端部に相当し、表示板６が上記傾斜板部に相当し、表示部重合板８が上記前開部に相当する。
【０００４】
また、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものとして特許文献２に示す先行技術文献についての出願を行っている。
【先行技術文献】
【特許文献】
【０００５】
【特許文献１】特開２０１１−２３０７７８号公報
【特許文献２】実用新案登録第３１３９９４８号公報
【考案の概要】
【考案が解決しようとする課題】
【０００６】
しかし、上記特許文献１に記載のディスプレイ兼用カートンにおいては、表示板の向きを所望の向きにすることができないという問題があった。
【０００７】
そこで、本考案が解決しようとする問題点は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱で、内箱部における正面部が、底面部から連設された正面本体部と、正面部の上方の先端に位置する先端部と、先端部から折れ線を介して連設された傾斜板部と、傾斜板部と正面本体部間に設けられた前開部とを有し、前開部又はその近傍に先端部を差し込むことにより傾斜板部を傾斜して支持することができる包装箱において、傾斜板部の向きを所望の向きにすることができる包装箱を提供することである。
【課題を解決するための手段】
【０００８】
本考案は上記問題点を解決するために創作されたものであって、第１には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部及び底面部と隣接して形成され、全体に凸状を呈する正面本体部で、方形状の基端部と、基端部の上端に連設され基端部の上辺の高さ位置よりも上方に突出して形成された第１突状部とを有し、基端部の上辺が正面本体部と底面部との間の折れ線である底辺と平行に形成された正面本体部と、正面本体部における基端部の上辺から第１折れ線を介して連設され、正面本体部と反対側に第１折れ線と平行な第１辺部を有する第１前開部で、第１突状部の辺部と第１切込みを介して区画されるとともに、左右両側に、第１切込みから上方に向けて連設された第２切込みを有する第１前開部と、第１前開部の第１辺部から第２折れ線を介して連設され、第１前開部と反対側に第１折れ線と平行な第２辺部を有する第２前開部と、第２前開部の第２辺部から第３折れ線を介して連設された傾斜板部で、第２前開部と反対側に第１折れ線と平行な第３辺部を有する傾斜板部と、傾斜板部における第３辺部から第４折れ線を介して連設された先端部で、その上端に第１前開部の第２切込みに係合するための係合部で切欠部又は切込みにより形成された係合部が形成された先端部と、を有し、傾斜板部又は先端部が、第４折れ線から高さ方向に突出した第２突状部を有し、第１前開部を正面本体部に対して第１折れ線を介して正面側に折り曲げ、第２前開部を第１前開部に対して第２折れ線を介して第１前開部の折曲げ方向と反対方向に折り曲げるとともに、傾斜板部を第２前開部に対して第３折れ線を介して第２前開部の折曲げ方向と同じ方向に折り曲げ、先端部を傾斜板部に対して第４折れ線を介して第２前開部の折曲げ方向と同じ方向に折り曲げた状態で、先端部の係合部を第１前開部の第２切込みと係合させて正面部を組み立てることにより、第２突状部の先端が正面本体部における第１突状部の正面側の面に当接し、傾斜板部が斜め上方を向いた状態となることを特徴とする。
【０００９】
第１の構成の包装箱においては、正面部を組み立てた状態において、傾斜板部が斜め上方を向いた状態となるので、傾斜板部に表示された広告を見やすくすることができる。
【００１０】
また、第２突状部の第４折れ線からの突出長さを傾斜板部が所望の向きとなるように形成しておくことにより、傾斜板部の向きを所望の向きにすることができ、ユーザーが広告内容を見やすい向きにすることができ、また、傾斜板部に切欠部又は開口部を設けた場合には、切欠部又は開口部から収納した被収納物の向きを所望の向きにすることができる。
【００１１】
また、第２には、上記第１の構成ににおいて、第２突状部が、傾斜板部に設けられ、第４折れ線から上方の高さ方向に突出していることを特徴とする。
【００１２】
また、第３には、上記第１の構成において、第２突状部が、先端部に設けられ、第４折れ線から下方の高さ方向に突出していることを特徴とする。
【００１３】
また、第４には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部及び底面部と隣接して形成され、全体に凸状を呈する正面本体部で、方形状の基端部と、基端部の上端に連設され基端部の上辺の高さ位置よりも上方に突出して形成された第１突状部とを有し、基端部の上辺が正面本体部と底面部との間の折れ線である底辺と平行に形成された正面本体部と、正面本体部における基端部の上辺から第１折れ線を介して連設され、正面本体部と反対側に第１折れ線と平行な第１辺部を有する第１前開部で、第１突状部の辺部と第１切込みを介して区画されるとともに、左右両側に、第１切込みから上方に向けて連設された第２切込みを有する第１前開部と、第１前開部の第１辺部から第２折れ線を介して連設され、第１前開部と反対側に第１折れ線と平行な第２辺部を有する第２前開部と、第２前開部の第２辺部から第３折れ線を介して連設された傾斜板部で、方形状の傾斜板部本体で第２前開部と反対側に第１折れ線と平行な第３辺部を有する傾斜板部本体と、傾斜板部の上端に連設され傾斜板部本体の上辺の高さ位置よりも上方に突出して形成された第２突状部で、第２前開部側とは反対側である先端側に第１折れ線と平行な辺部を有する第２突状部とを有する傾斜板部と、傾斜板部における傾斜板部本体の第３辺部から第４折れ線を介して連設された先端部で、その上端に第１前開部の第２切込みに係合するための係合部で切欠部又は切込みにより形成された係合部が形成された先端部と、を有し、第１前開部を正面本体部に対して第１折れ線を介して正面側に折り曲げ、第２前開部を第１前開部に対して第２折れ線を介して第１前開部の折曲げ方向と反対方向に折り曲げるとともに、傾斜板部を第２前開部に対して第３折れ線を介して第２前開部の折曲げ方向と同じ方向に折り曲げ、先端部を傾斜板部に対して第４折れ線を介して第２前開部の折曲げ方向と同じ方向に折り曲げた状態で、先端部の係合部を第１前開部の第２切込みと係合させて正面部を組み立てることにより、傾斜板部における第２突状部の先端が正面本体部における第１突状部の正面側の面に当接し、傾斜板部が斜め上方を向いた状態となることを特徴とする。
【００１４】
第４の構成の包装箱においては、正面部を組み立てた状態において、傾斜板部が斜め上方を向いた状態となるので、傾斜板部に表示された広告を見やすくすることができる。
【００１５】
また、第２突状部の第４折れ線からの突出長さを傾斜板部が所望の向きとなるように形成しておくことにより、傾斜板部の向きを所望の向きにすることができ、ユーザーが広告内容を見やすい向きにすることができ、また、傾斜板部に開口部を設けた場合には、切欠部又は開口部から収納した被収納物の向きを所望の向きにすることができる。
【００１６】
また、第５には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部及び底面部と隣接して形成され、全体に凸状を呈する正面本体部で、方形状の基端部と、基端部の上端に連設され基端部の上辺の高さ位置よりも上方に突出して形成された第１突状部とを有し、基端部の上辺が正面本体部と底面部との間の折れ線である底辺と平行に形成された正面本体部と、正面本体部における基端部の上辺から第１折れ線を介して連設され、正面本体部と反対側に第１折れ線と平行な第１辺部を有する第１前開部で、第１突状部の辺部と第１切込みを介して区画されるとともに、左右両側に、第１切込みから上方に向けて連設された第２切込みを有する第１前開部と、第１前開部の第１辺部から第２折れ線を介して連設され、第１前開部と反対側に第１折れ線と平行な第２辺部を有する第２前開部と、第２前開部の第２辺部から第３折れ線を介して連設された傾斜板部で、第２前開部と反対側に第１折れ線と平行な第３辺部を有する傾斜板部と、傾斜板部の第３辺部から第４折れ線を介して連設された先端部で、その上端に第１前開部の第２切込みに係合するための係合部で切欠部又は切込みにより形成された係合部を有し、第４折れ線の高さ位置よりも下方に突出した第２突状部で、下方側である先端側に第１折れ線と平行な辺部を有する第２突状部を有する先端部と、を有し、第１前開部を正面本体部に対して第１折れ線を介して正面側に折り曲げ、第２前開部を第１前開部に対して第２折れ線を介して第１前開部の折曲げ方向と反対方向に折り曲げるとともに、傾斜板部を第２前開部に対して第３折れ線を介して第２前開部の折曲げ方向と同じ方向に折り曲げ、先端部を傾斜板部に対して第４折れ線を介して第２前開部の折曲げ方向と同じ方向に折り曲げた状態で、先端部の係合部を第１前開部の第２切込みと係合させて正面部を組み立てることにより、先端部における第２突状部の先端が正面本体部における第１突状部の正面側の面に当接し、傾斜板部が斜め上方を向いた状態となることを特徴とする。
【００１７】
第５の構成の包装箱においては、正面部を組み立てた状態において、傾斜板部が斜め上方を向いた状態となるので、傾斜板部に表示された広告を見やすくすることができる。
【００１８】
また、第２突状部の第４折れ線からの突出長さを傾斜板部が所望の向きとなるように形成しておくことにより、傾斜板部の向きを所望の向きにすることができ、ユーザーが広告内容を見やすい向きにすることができ、また、傾斜板部に開口部を設けた場合には、切欠部又は開口部から収納した被収納物の向きを所望の向きにすることができる。
【００１９】
また、第６には、上記第５の構成において、傾斜板部は、先端部側に第２突状部と隣接した切欠部で、正面部を組み立てた際に、被収納物を収納するための開口を形成する切欠部を有することを特徴とする。よって、正面部を組み立てた際に、切欠部により形成される開口に被収納物を収納することができる。
【００２０】
また、第７には、上記第１から第５までのいずれかの構成において、傾斜板部は、開口部を有し、正面部を組み立てた際に、該開口部から被収納物を収納可能であることを特徴とする。
【００２１】
また、第８には、上記第１から第７までのいずれかの構成において、傾斜板部には、内箱部に収納された被収納物の広告が表示されていることを特徴とする。
【００２２】
また、第９には、上記第１から第８までのいずれかの構成において、第１切目線が、ミシン目状の切込みにより形成され、第２切目線が、ミシン目状の切込み又は連続して形成された切込みにより形成されていることを特徴とする。
【００２３】
また、第１０には、上記第１から第９までのいずれかの構成において、底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする。
【考案の効果】
【００２４】
本考案に基づく包装箱によれば、正面部を組み立てた状態において、傾斜板部が斜め上方を向いた状態となるので、傾斜板部に表示された広告を見やすくすることができる。
【００２５】
また、第２突状部の第４折れ線からの突出長さを傾斜板部が所望の向きとなるように形成しておくことにより、傾斜板部の向きを所望の向きにすることができ、ユーザーが広告内容を見やすい向きにすることができ、また、傾斜板部に切欠部又は開口部を設けた場合には、切欠部又は開口部から収納した被収納物の向きを所望の向きにすることができる。
【図面の簡単な説明】
【００２６】
【図１】包装箱の前方斜視図である（実施例１）。
【図２】包装箱の後方斜視図である（実施例１）。
【図３】包装箱の分解斜視図である（実施例１）。
【図４】包装箱の底面図である（実施例１）。
【図５】内箱部の展開図である（実施例１）。
【図６】図５の要部拡大図である（実施例１）。
【図７】外箱部の展開図である（実施例１）。
【図８】包装箱を折り畳んだ状態を示す平面図である（実施例１）。
【図９】包装箱を折り畳んだ際の内箱部の折り畳み状態を示す平面図である（実施例１）。
【図１０】包装箱の使用状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】正面部を組み立てた状態を示す前方斜視図である（実施例１）。
【図１６】正面部を組み立てた状態の要部側面図である（実施例１）。
【図１７】内箱部の展開図である（実施例２）。
【図１８】正面部を組み立てた状態を示す前方斜視図である（実施例２）。
【図１９】正面部を組み立てた状態の要部側面図である（実施例２）。
【図２０】包装箱の前方斜視図である（実施例３）。
【図２１】図２０の包装箱における内箱部Ａ１２の構成を示す前方斜視図である（実施例３）。
【図２２】内箱部の展開図である（実施例３）。
【図２３】外箱部の展開図である（実施例３）。
【図２４】包装箱の底面図である（実施例３）。
【図２５】正面部を組み立てた状態を示す前方斜視図である（実施例３）。
【図２６】内箱部の展開図である（実施例４）。
【図２７】正面部を組み立てた状態を示す前方斜視図である（実施例４）。
【考案を実施するための形態】
【００２７】
本発明においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱で、内箱部における正面部が、底面部から連設された正面本体部と、正面部の上方の先端に位置する先端部と、先端部から折れ線を介して連設された傾斜板部と、傾斜板部と正面本体部間に設けられた前開部とを有し、前開部又はその近傍に先端部を差し込むことにより傾斜板部を傾斜して支持することができる包装箱において、傾斜板部の向きを所望の向きにすることができる包装箱を提供するという目的を以下のようにして実現した。
【実施例１】
【００２８】
本考案に基づく包装箱Ａは、図１〜図８等に示すように構成され、内箱部Ａ１と、外箱部Ａ２とを有していて、それぞれが１枚のシート状のブランク（具体的には段ボール（特に、両面段ボール）であり、厚紙等でもよい）により形成されている。なお、両面段ボールにおける中芯の段の方向は、図５、図７に示す円内に示す方向である。
【００２９】
内箱部Ａ１は、全体に上部が開口した容器状を呈し、図３、図５等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図５に示すように形成されている。
【００３０】
ここで、正面部１０は、正面本体部１２と、正面本体部１２から折れ線（第１折れ線）Ｃ１２を介して連設された第１前開部１４と、第１前開部１４から折れ線Ｃ１２と平行な折れ線（第２折れ線）Ｃ１４を介して連設された第２前開部１５と、第２前開部１５から折れ線Ｃ１２と平行な折れ線（第３折れ線）Ｃ１５を介して連設された傾斜板部（表示部）１６と、傾斜板部１６から折れ線Ｃ１２と平行な折れ線（第４折れ線）Ｃ１６を介して連設された先端部１８とを有している。なお、折れ線Ｃ１２は、正面本体部１２の底面部５０（具体的には、第１片部６０）との間の折れ線Ｃ９（つまり、正面本体部１２の底辺）と平行になっている。
【００３１】
正面本体部１２は、凸状を呈し、長方形状の基端部１２−１と基端部１２−１の上辺の中央から上方に連設された長方形状の突状部（第１突状部）１２−２を有している。この突状部１２−２は、正面部１０を組み立てた際に、傾斜板部１６の突状部１６−２の先端が当接する箇所となる。基端部１２−１の下辺からは第１片部６０が折れ線を介して連設され、基端部１２−１の右側面側の辺部からは側面部２０が折れ線を介して連設され、基端部１２−１の左側面側の辺部からは側面部３０が折れ線を介して連設されている。つまり、正面本体部１２は、底面部５０、側面板部２０、３０と隣接して形成されている。また、突状部１２−２は、基端部１２−１の上辺の高さ位置よりも上方に突出して形成されている。
【００３２】
また、第１前開部１４は、全体に逆凹状（すなわち、長方形状の下端中央に長方形状の切欠きを形成した形状）を呈し、正面本体部１２とは、一対の折れ線Ｃ１２と、折れ線Ｃ１２の内側の端部から折れ線Ｃ１２に対して直角方向の切込みＫ１０、Ｋ１１と、切込みＫ１０と切込みＫ１１間に形成され、折れ線Ｃ１２と平行に形成された切込みＫ１２とにより区画されている。切込みＫ１０、Ｋ１１、Ｋ１２は、突状部１２−２の辺部に沿って形成され、第１切込みを構成する。ている。第１前開部１４の左側面側の辺部は、折れ線Ｃ１２に対して直角方向をなし、正面本体部１２と側面部３０間の折れ線Ｃ１０よりも内側（右側面側）に形成され、また、第１前開部１４の右側面側の辺部は、折れ線Ｃ１２に対して直角方向をなし、正面本体部１２と側面部２０間の折れ線Ｃ１１よりも内側（左側面側）に形成されている。また、第１前開部１４には、切込みＫ１０の上端から連設された切込みＫ１３と、切込みＫ１１の上端から連設された切込みＫ１４とが設けられ、切込みＫ１３は、切込みＫ１０の延長線上に形成された直線状部と、該直線状部の上端から半円状に内側に湾曲した曲線状部とを有し、また、切込みＫ１４は、切込みＫ１１の延長線上に形成された直線状部と、該直線状部の上端から半円状に内側に湾曲した曲線状部とを有している。正面部１０を組み立てた際に、この切込みＫ１３には切欠部Ｋ１８（溝部Ｋ１８としてもよい）が係合し、切込みＫ１４には切欠部Ｋ１９（溝部Ｋ１９としてもよい）が係合する。切込みＫ１３、Ｋ１４は、第２切込みを構成する。第１前開部１４における折れ線Ｃ１４に沿った辺部が第１辺部となる。
【００３３】
また、第２前開部１５は、長方形状を呈している。第２前開部１５における折れ線Ｃ１５に沿った辺部が第２辺部となる。
【００３４】
また、傾斜板部１６は、略凸状を呈し、長方形状の傾斜板部本体１６−１と、傾斜板部本体１６−１の上辺の中央から上方に連設された略長方形状の突状部（第２突状部）１６−２を有している。突状部１６−２は、横長長方形状の上側の角部にアールを形成した形状となっていて、第２前開部１５側とは反対側である先端側に折れ線Ｃ１２と平行な辺部を有している。この傾斜板部１６の上辺（第３辺部）は、折れ線Ｃ９や折れ線Ｃ１２と平行に形成されている。この突状部１６−２は、折れ線Ｃ１６から高さ方向（上方の高さ方向）に突出して形成されている。突状部１６−２と先端部１８間には、略コ字状の切込みＫ１７が形成され、突状部１６−２と先端部１８とは、切込みＫ１７により区画されている。
【００３５】
以上のようにして、傾斜板部１６は、先端部１８との境界位置に折れ線Ｃ１６よりも先端部１８側に突出した突状部１６−２を有しており、突状部１６−２の折れ線Ｃ１６から上方への突出長さＷを調整することによって、正面部１０を組み立てた際に、傾斜板部１６の向きを所望の長さにすることができる。
【００３６】
傾斜板部１６の外側の面には、予め商品の広告等の表示内容を印刷しておく。つまり、傾斜板部１６は、表示部として機能する。なお、内箱部Ａ１の展開状態において、傾斜板部１６の外側の面は、内箱部Ａ１の外側の面と同じ面となるので、内箱部Ａ１の傾斜板部１６以外の領域と同時に傾斜板部１６に印刷を行なうことができる。
【００３７】
また、先端部１８は、傾斜板部本体１６−１の上辺（両側の一対の上辺）から連設されており、先端部１８は、先端の両側の角部にアールを形成するとともに下端に切欠部（突状部１６−２に対応した切欠部）が形成された略長方形状の先端部本体１８−１と、先端部本体１８−１の上辺中央から上方に突出して形成された略円弧状の突状部１８−２とを有し、先端部本体１８−１の上辺の突状部１８−２の両側には略Ｖ字状の切欠部（係合部）Ｋ１８、Ｋ１９が形成されている。なお、切欠部Ｋ１８をなす辺部における内側の辺部は、突状部１８−２の左側面側の辺部と連続して形成され、また、切欠部Ｋ１９をなす辺部における内側の辺部は、突状部１８−２の右側面側の辺部と連続して形成されている。この突状部１８−２は、先端部本体１８−１の上辺よりも上方に突出して形成され、具体的には、突状部１８−２は、傾斜板部１６の左側面側の辺部から切欠部Ｋ１８まで形成された辺部１８ａにおける最上位置よりも上方に突出し、また、傾斜板部１６の右側面側の辺部から切欠部Ｋ１９まで形成された辺部１８ｂにおける最上位置よりも上方に突出して形成されている。
【００３８】
また、第１前開部１４の左側面側の辺部と第２前開部１５の左側面側の辺部と傾斜板部１６の左側面側の辺部とは一つの直線状を呈し、第１前開部１４の右側面側の辺部と第２前開部１５の右側面側の辺部と傾斜板部１６の右側面側の辺部とは一つの直線状を呈していて、第１前開部１４の左右方向の長さと第２前開部１５の左右方向の長さと傾斜板部１６の左右方向の長さとは同一となっている。
【００３９】
また、折れ線Ｃ１２と折れ線Ｃ１４間の長さｈ１１と、折れ線Ｃ１４と折れ線Ｃ１５間の長さｈ１２と、折れ線Ｃ１５と折れ線Ｃ１６間の長さｈ１３は、長さｈ１３が、長さｈ１１や長さｈ１２よりも長く形成されるとともに、長さｈ１１が長さｈ１２よりも長く形成されていて、正面部１０を組み立てた場合に、傾斜板部１６と第２前開部１５と第１前開部１４とで側方から視認した場合に三角形をなすように構成されている。
【００４０】
なお、正面部１０は全体に左右対称に形成されていて、正面本体部１２、第１前開部１４、第２前開部１５、傾斜板部１６、先端部１８はそれぞれ左右対称に形成されている。
【００４１】
ここで、正面部１０を組み立てた状態では、図１５、図１６に示すように、傾斜板部１６は正面側斜め上方を向いた状態に固定され、傾斜板部１６の方向と水平方向のなす角度αは鋭角となるが、突状部１６−２の折れ線Ｃ１６から上方への突出長さＷを調整することにより、第１前開部１４における折れ線Ｃ１２と折れ線Ｃ１４間の長さｈ１１及び第２前開部１５における折れ線Ｃ１４と折れ線Ｃ１５間の長さｈ１２はそれぞれ一定であるので、傾斜板部１６の向きを調整することができる。例えば、突状部１６−２の突出長さＷを長くすると、傾斜板部１６における折れ線Ｃ１５と突状部１６−２の上端間の長さｈ２１が長くなり、その分、角度αが大きくなる。一方、突状部１６−２の突出長さＷを短くすると、傾斜板部１６における折れ線Ｃ１５と突状部１６−２の上端間の長さｈ２１が短くなり、その分、角度αが小さくなる。よって、傾斜板部１６の角度αを大きくしたい場合には、突状部１６−２の長さを長く形成し、傾斜板部１６の角度αを小さくしたい場合には、突状部１６−２の長さを短く形成しておく。
【００４２】
また、側面部２０は、正面部１０の正面本体部１２の正面視における右側の端部から折れ線を介して連設され、方形状における上側の一部を切り欠いた形状を呈し、その上端の縁部は、凹凸形状に形成され、背面側の端部においては、背面部４０の上端の縁部の高さと同じに形成されている。この側面部２０は、本体部２２と、分離部２４とを有している。
【００４３】
ここで、側面部２０の上端の領域の一部に切目線（第１切目線）Ｋ２と切目線Ｋ４とからなる境界線で区画することにより分離部２４が形成されている。切目線Ｋ２は、ミシン目状の切込み（間隔をおきながら形成された切込み）（切断予定線）であり、切目線Ｋ４は、連続した切込みにより形成されている。本体部２２は、側面部２０における分離部２４を除いた領域となる。
【００４４】
すなわち、切目線Ｋ２は、横方向（略水平方向）に略円弧状に形成され、切目線Ｋ４は、切目線Ｋ２の背面側の端部から垂直方向（つまり、水平方向（側面部２０の下辺の方向）に直角の方向）に直線状に形成されている。つまり、分離部２４は、側面部２０の上端の領域の一部、すなわち、正面部側の端部から背面部側の端部までの上端の縁部に接する領域に形成され、本体部２２と切目線Ｋ２を介して分離可能に形成されている。
【００４５】
分離部２４は、正面側と背面側が直線状に形成され、上面側と下面側が円弧状に形成されている。分離部２４の正面側と背面側の辺部は垂直方向に形成されている。つまり、分離部２４の下辺は切目線Ｋ２により形成され、分離部２４の背面側の辺部は切目線Ｋ４により形成されている。
【００４６】
分離部２４の形状は、外箱部Ａ２の側面の片部１２６を外側に回動させることにより、分離部２４を本体部２２から分離し、その後、外箱部Ａ２を上方に引き上げる際に支障とならないように形成されている。つまり、分離された分離部２４が本体部２２に対して上方に移動する際に支障とならないように、分離部２４は、側面部２０の上端の領域の一部、すなわち、側面部２０の正面側の端部から背面側の端部までの上端の縁部に接する領域の一部に設けられ、切目線Ｋ４は、水平方向に対して９０度以下（具体的には、９０度）に形成されている。つまり、切目線Ｋ４の角度が９０度よりも大きくなってしまうと、分離部２４を本体部２２に対して上方に移動させる際に、本体部２２が支障となる可能性があるが、本実施例の場合にはそのようなおそれがない。
【００４７】
本体部２２は、側面部２０における分離部２４以外の部分であり、全体に略Ｌ字状を呈し、その屈曲部の内側に分離部２４が形成されているといえる。
【００４８】
この分離部２４の形成位置は、外箱部Ａ２の片部１２６の裏側の領域であり、分離部２４は片部１２６の裏側に接着され、片部１２６を外側に回動させることにより、分離部２４も片部１２６の裏側に接着したまま切目線Ｋ２が破断されて、分離部２４が本体部２２から分離するように形成されている。分離部２４は、片部１２６よりも小さく形成されていて、分離部２４の外形が片部１２６の外形よりもはみだすことがない。
【００４９】
また、側面部３０は、正面部１０の正面視における左側の端部から折れ線を介して連設され、方形状における上側の一部を切り欠いた形状を呈し、その上端の縁部は、凹凸形状に形成され、背面側の端部においては、背面部４０の上端の縁部の高さと同じに形成されている。この側面部３０は、本体部３２と、分離部３４とを有している。この側面部３０の構成は、側面部２０と前後方向に垂直な仮想的な平面である中心面を介して対称に形成されていて、本体部３２は本体部２２と対称（展開状態では線対称）に形成され、分離部３４は分離部２４と対称（展開状態では線対称）に形成されていることから詳しい説明を省略する。
【００５０】
なお、側面部３０の上端の領域の一部に切目線（第１切目線）Ｋ６と切目線Ｋ８とからなる境界線で区画することにより分離部３４が形成されている。切目線Ｋ６は、ミシン目状の切込み（間隔をおきながら形成された切込み）（切断予定線）により形成され、切目線Ｋ８は、連続した切込みにより形成されている。
【００５１】
また、分離部３４の形成位置は、外箱部Ａ２の片部１３６の裏側の領域であり、分離部３４は片部１３６の裏側に接着され、片部１３６を外側に回動させることにより、分離部３４も片部１３６の裏側に接着したまま切目線Ｋ６が破断されて、分離部３４が本体部３２から分離するように形成されている。
【００５２】
また、背面部４０は、側面部２０の右側面視における右端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。
【００５３】
また、糊代部４２は、側面部３０の左側面視における左端から折れ線を介して連設され、縦方向に細長の帯状台形形状を呈している。この糊代部４２は、図３に示すように、その外側の面が背面部４０の内側の面に接着されている。
【００５４】
また、底面部５０は、第１片部６０と、第２片部７０と、第３片部８０と、第４片部９０とを有し、包装箱Ａの組立て状態においては、図４に示すように、略方形状の外形を呈している。
【００５５】
ここで、第１片部６０は、正面部１０の下端から折れ線を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。
【００５６】
また、第２片部７０は、側面部２０の下端から折れ線を介して連設され、略長方形状に形成され、第２片部７０の上面の一部が内箱部Ａ１の内底面の一部を形成している。また、第２片部７０の角部（側面部２０と背面部４０の境界位置の角部）からは第２片部７０の側面部２０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【００５７】
また、第３片部８０は、側面部３０の下端から折れ線を介して連設され、底面部５０の組立て状態においては、第２片部７０と点対称に形成されている。すなわち、第３片部８０は、側面部３０の下端から折れ線を介して連設され、略長方形状に形成され、第３片部８０の上面の一部が内箱部Ａ１の内底面の一部を形成している。また、第３片部８０の角部（側面部３０と正面部１０の境界位置の角部）からは第３片部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【００５８】
また、第４片部９０は、背面部４０の下端から折れ線を介して連設され、先端側にいくほど幅狭となる略台形形状に形成され、その上面の一部が内箱部Ａ１の内底面の一部を形成している。
【００５９】
次に、外箱部Ａ２は、内箱部Ａ１を覆う箱体であり、図１〜図４、図７等に示すように、スリーブ状部（外側スリーブ状部）１０５と、上面部１６０、１７０、１８０、１９０とを有していて、その展開状態は、図７に示すように形成されている。
【００６０】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００６１】
ここで、正面部１１０は、方形状（長方形状）の板状を呈している。この正面部１１０の横幅は、内箱部Ａ１を外箱部Ａ２内に収納することができるように、正面部１０（具体的には、正面本体部１２）の横幅よりも若干大きく形成されている。
【００６２】
また、側面部１２０は、正面部１１０の正面視における右側の端部から折れ線Ｋ１１２を介して連設され、方形状を呈し、切目線（第２切目線）１２２と切目線１２４ａ、１２４ｂが形成されている。
【００６３】
ここで、切目線１２２は、ミシン目状の切込み（間隔をおきながら形成された切込み）（切断予定線）により形成され、略コ字状を呈し、横方向に形成された略円弧状の切目線１２２ａと、切目線１２２ａの端部（右側面視における左側の端部）から下側に向けて縦方向（側面部１２０の下辺と略直角な方向）に形成された直線状の切目線１２２ｂと、切目線１２２ｂの下端から横方向で切目線１２２ａに対して略平行に形成された略円弧状の切目線１２２ｃにより、全体に略コ字状に形成されている。また、切目線１２２ａの長さと切目線１２２ｃの長さは略同一に形成されている。この切目線１２２ａと切目線１２２ｃ間の幅は、内箱部Ａ１の分離部２４の縦方向の幅よりも大きく形成され、また、切目線１２２ａや切目線１２２ｃの長さは、分離部２４の横方向の幅よりも大きく形成されている。以上のように、切目線１２２と、切目線１２２ａ及び切目線１２２ｃの切目線１２２ｂ側とは反対側の端部間を結ぶ折れ線Ｃ１２６により囲まれた領域が、片部１２６となる。
【００６４】
また、切目線１２２ｂの上端から下端に向けての途中位置には、切目線１２２ａや切目線１２２ｃが設けられている側とは反対側に、横方向に互いに平行な切目線１２４ａ、１２４ｂが形成されている。つまり、切目線１２４ａと切目線１２４ｂは、互いに平行に形成され、連続した切込みにより形成されている。また、切目線１２４ａは、切目線１２２ａよりも下側に形成され、切目線１２４ｂは、切目線１２２ｃよりも上側に形成されている。以上のように、切目線１２４ａと、切目線１２４ｂと、切目線１２２ｂと、切目線１２４ａ及び切目線１２４ｂの切目線１２２ｂ側とは反対側の端部間を結ぶ直線状の折れ線Ｃ１２８により囲まれた領域が、片部１２８となる。この側面部１２０の横幅は、内箱部Ａ１を外箱部Ａ２内に収納することができるように、側面部２０の横幅よりも若干大きく形成されている。
【００６５】
なお、正面部１１０と側面部１２０の境界位置には、所定間隔で切込みが形成された（つまり、折曲しやすいように切込みが形成されている）直線状の折れ線Ｋ１１２が形成されている。また、側面部１２０と正面部１１０の間の位置における下側には、縦長の開口部Ｋ１１４が形成されている。
【００６６】
また、側面部１３０は、正面部１１０の正面視における左側の端部から折れ線Ｋ１１６を介して連設され、方形状を呈し、切目線（第２切目線）１３２と切目線１３４ａ、１３４ｂが形成されている。
【００６７】
この側面部１３０の構成は、側面部１２０と前後方向に垂直な仮想的な平面である中心面を介して開口部Ｋ１１４や切欠部Ｋ１１８の箇所の形状を除き対称に形成されていて、切目線１３２は、切目線１２２と対称に形成され、横方向に形成された略円弧状の切目線１３２ａと、切目線１３２ａの端部（左側面視における右側の端部）から下側に向けて縦方向に形成された切目線１３２ｂと、切目線１３２ｂの下端から横方向で切目線１３２ａに対して略平行に形成された略円弧状の切目線１３２ｃにより、全体に略逆コ字状に形成されている。切目線１３２は、ミシン目状の切込み（間隔をおきながら形成された切込み）（切断予定線）により形成されている。また、切目線１３２ｂの上端から下端に向けての途中位置には、切目線１３２ａや切目線１３２ｃが設けられている側とは反対側に、横方向に互いに平行な切目線１３４ａ、１３４ｂが形成されている。切目線１３４ａ、１３４ｂは、連続した切込みにより形成されている。そして、切目線１３２と、切目線１３２ａ及び切目線１３２ｃの切目線１３２ｂ側とは反対側の端部間を結ぶ直線状の折れ線Ｃ１３６により囲まれた領域が、片部１３６となり、また、切目線１３４ａと、切目線１３４ｂと、切目線１３２ｂと、切目線１３４ａ及び切目線１３４ｂの切目線１３２ｂ側とは反対側の端部間を結ぶ直線状の折れ線Ｃ１３８により囲まれた領域が、片部１３８となる。切目線１３２の詳しい構成は、切目線１２２と対称である以外は同一の構成であるので、詳しい説明を省略し、また、切目線１３４ａ、１３４ｂの詳しい構成は、切目線１２４ａ、１２４ｂと対称である以外は同一の構成であるので、詳しい説明を省略する。
【００６８】
なお、正面部１１０と側面部１３０の境界位置には、所定間隔で切込みが形成された（つまり、折曲しやすいように切込みが形成されている）直線状の折れ線Ｋ１１６が形成されている。また、側面部１３０と正面部１１０の間の位置における下側には、縦長の切欠部Ｋ１１８が形成されている。、外箱部Ａ２には、開口部Ｋ１１４や切欠部Ｋ１１８が設けられているので、正面部１１０や側面部１２０、１３０の下端が外側と内側間を移動する余裕があり、外箱部Ａ２を容易に引き上げることができる。
【００６９】
また、背面部１４０は、側面部１２０の右側面視における右端から折れ線Ｋ１２０を介して連設され、方形状を呈している。この背面部１４０の横幅は、内箱部Ａ１を外箱部Ａ２内に収納することができるように、背面部４０の横幅よりも若干大きく形成されている。
【００７０】
また、糊代部１４２は、背面部１４０の背面視における右端から折れ線（所定間隔で切込みが形成された（つまり、折曲しやすいように切込みが形成されている）直線状の折れ線Ｋ１２２）を介して連設され、縦方向に細長の帯状台形形状を呈している。この糊代部１４２は、図２に示すように、その内側の面が側面部１３０の外側の面に接着されている。
【００７１】
また、正面部１１０と側面部１２０、１３０と背面部１４０の縦幅は同一に形成されていて、内箱部Ａ１の縦幅と同一又は若干大きく形成されている。すなわち、外箱部Ａ２のスリーブ状部１０５の縦方向の長さは、内箱部Ａ１のスリーブ状部５の縦方向の長さ（最大長さ）と同一又は若干長く形成されている。
【００７２】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間Ｋ１２４が形成されている。また、上面部１８０は、側面部１３０の上端から折れ線を介して連設され、方形状（長方形状）を呈している。この上面部１８０と上面部１６０との間には隙間Ｋ１２６が形成されている。また、上面部１９０は、背面部１４０の上端から折れ線を介して連設され、方形状（長方形状）を呈している。この上面部１９０と上面部１７０との間には隙間Ｋ１２８が形成されている。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、外箱部Ａ２の展開状態においては、図７に示すように、上面部１６０〜１９０における隣接した上面部においては、隙間Ｋ１２４、Ｋ１２６、Ｋ１２８が形成されている。なお、蓋部としての上面部１６０〜１９０はスリーブ状部１０５の上端の各辺から連設されているが、少なくとも１つの上面部から連設されていればよい。
【００７３】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００７４】
次に、内箱部Ａ１と外箱部Ａ２とは、分離部２４、３４の箇所で互いに接着されている。つまり、分離部２４の外側の面と側面部１２０（特に、片部１２６）の内側の面とが接着剤その他の接着手段により接着されるとともに、分離部３４の外側の面と側面部１３０（特に、片部１３６）の内側の面とが接着剤その他の接着手段により接着されることにより、包装箱Ａが全体に一体に形成される。つまり、分離部２４の外側の面の全部又は一部の領域と側面部１２０の内側の面の間には接着剤層（図示せず）が設けられていて、同様に、分離部３４の外側の面の全部又は一部の領域と側面部１３０の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２６を外側に回動させた際に、同時に分離部２４の下側の切目線Ｋ２が破れて、分離部２４が内箱部Ａ１から分離し、回動させた片部１２６に接着した状態で片部１２６に従動するように設定されていて、同様に、外箱部Ａ２の片部１３６を外側に回動させた際に、同時に分離部３４の下側の切目線Ｋ６が破れて、分離部３４が内箱部Ａ１から分離し、回動させた片部１３６に接着した状態で片部１３６に従動するように設定されている。
【００７５】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００７６】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図８に示すように平板状に折り畳むことができる。
【００７７】
なお、上記内箱部Ａ１、外箱部Ａ２において、各折れ線の箇所には、予め罫線が形成されている。
【００７８】
上記構成の包装箱Ａの使用状態について説明する。包装箱Ａを使用しない状況では、上記のように包装箱Ａは平板状に折り畳むことができるので、折り畳んで保管しておく。
【００７９】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００８０】
そして、図１０に示すように、包装箱Ａの上方から複数の被収納物（商品）Ｇを内箱部Ａ１内に収納する。なお、被収納物Ｇとしては、正面部１０を組み立てた際に、正面部１０における正面本体部１２以外の部材が正面本体部１２の背面側に突出することがないので、内箱部Ａ１内に隙間なく収納される商品でもよい。なお、上面部１６０〜１９０は、予め上方に立設した状態になっていて、外箱部Ａ２の上方が開口した状態になっているので、被収納物Ｇはそのまま包装箱Ａの上方から収納すればよい。また、正面部１０は上方に立設した状態となっているので、被収納物の収納に支障はない。その後、上面部１６０〜１９０を閉状態にして、接着テープＴを外箱部Ａ２の正面部１１０から上面を経て背面部１４０側にまで接着させることにより、図１１に示すように、上面部１６０〜１９０を封止する。
【００８１】
以上のようにして、被収納物を包装箱Ａに包装したら、被収納物Ｇを収納した包装箱Ａを被収納物Ｇを陳列する場所に搬送する。
【００８２】
その後、被収納物を陳列する場合には、外箱部Ａ２を内箱部Ａ１から分離する。すなわち、図１２に示すように、外箱部Ａ２の側面部１２０の片部１２８を内側に押し込むことにより片部１２６の先端に指を引っかけることができるようにした後に、片部１２６を外側に回動させる。つまり、折れ線Ｃ１２６が回動軸となって片部１２６が水平方向に回動する。
【００８３】
同様に、外箱部Ａ２の側面部１３０の片部１３８を内側に押し込むことにより片部１３６の先端に指を引っかけることができるようにした後に、片部１３６を外側に回動させる。つまり、折れ線Ｃ１３６が回動軸となって片部１３６が水平方向に回動する。なお、片部１２６、１３６が回動する際の回動軸となる折れ線Ｃ１２６、Ｃ１３６の箇所には、罫線を形成しておかなくても片部１２６、１３６を回動させることにより自然と折れ線が形成されるが、予め該折れ線の箇所に罫線を形成しておいてもよい。
【００８４】
すると、外箱部Ａ２の片部１２６を外側に回動させた際に、同時に分離部２４の下側の切目線Ｋ２が破れて、分離部２４が内箱部Ａ１から分離し、回動させた片部１２６に接着した状態で片部１２６に従動する。同様に、外箱部Ａ２の片部１３６を外側に回動させた際に、同時に分離部３４の下側の切目線Ｋ６が破れて、分離部３４が内箱部Ａ１から分離し、回動させた片部１３６に接着した状態で片部１３６に従動する。
【００８５】
そして、図１３に示すように、外箱部Ａ２を上方に引き上げることにより、被収納物を収納した状態で、かつ、分離部２４、３４が分離した状態の内箱部Ａ１が残るので、その後、正面部１０を組み立てて（つまり、第１前開部１４と第２前開部１５と傾斜板部１６と先端部１８を組み立てる）、傾斜板部１６を傾斜した状態にして表示状態にする。
【００８６】
すなわち、第１前開部１４を正面本体部１２に対して折れ線Ｃ１２を中心に正面側に折曲して回動させる。つまり、折れ線Ｃ１２を正面側から見て谷折りとする。その後、第２前開部１５を第１前開部１４に対して折れ線Ｃ１４を中心に背面側に折り曲げ（つまり、折れ線Ｃ１４を正面側から見て山折りとし、第１前開部１４の折曲げ方向と反対方向に折り曲げる）、さらに、傾斜板部１６を第２前開部１５に対して折れ線Ｃ１５を中心に背面側に折り曲げて（つまり、折れ線Ｃ１５を正面側から見て山折りとし、第２前開部の折曲げ方向と同じ方向に折り曲げる）、図１４に示す状態とする。
【００８７】
その後、第１前開部１４を正面本体部１２に対して折曲する（つまり、第２前開部の折曲げ方向と同じ方向に折り曲げる）ことにより正面本体部１２と第１前開部１４間に形成された開口部Ｋ１５に先端部１８の突状部１８−２を差し込み、先端部１８の切欠部Ｋ１８を第１前開部１４の切込みＫ１３と係合させるとともに、先端部１８の切欠部Ｋ１９を第１前開部１４の切込みＫ１４と係合させることにより、先端部１８を第１前開部１４と係合させて、図１５に示す状態とする。
【００８８】
先端部１８が第１前開部１４と係合した状態では、傾斜板部１６の突状部１６−２の先端は、正面本体部１２の突状部１２−２の正面側の面に当接し、傾斜板部１６は、図１５に示すように、傾斜板部１６が正面側斜め上方を向いた状態に固定される。よって、傾斜板部１６に表示された広告を見やすくすることができる。
【００８９】
正面部１０を組み立てた状態では、図１５、図１６に示すように、傾斜板部１６は正面側斜め上方を向いた状態に固定されるが、突状部１６−２の長さを傾斜板部１６が所望の向きとなるように形成しておくことにより、傾斜板部１６の向きを所望の向きにすることができ、ユーザーが広告内容を見やすい向きにすることができる。
【００９０】
また、本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００９１】
また、本実施例の包装箱Ａによれば、外箱部Ａ２の側面部１２０、１３０の片部１２８、１３８を内側に押し込むことにより片部１２６、１３６の先端に指を引っかけることができるようにした後に、片部１２６、１３６を外側に回動させて、分離部２４、３４を内箱部Ａ１から分離して外箱部Ａ２を上方に引き上げるのみで陳列することができるので、陳列作業を容易に行なうことができる。
【００９２】
なお、外箱部Ａ２には、開口部Ｋ１１４と切欠部Ｋ１１８が設けられていて、正面部１１０や側面部１２０、１３０の下端が外側と内側間を移動する余裕があるので、外箱部Ａ２を容易に引き上げることができる。
【００９３】
また、被収納物の陳列状態においては、内箱部Ａ１における正面部１０の高さ方向の長さは、背面部４０の高さ方向の長さよりも小さく形成されているので、正面部１０を正面側として陳列することにより被収納物をユーザから見やすくすることができる。
【００９４】
なお、上記の説明において、外箱部Ａ２においては、スリーブ状部１０５を構成する正面部１１０と側面部１２０の境界位置に開口部Ｋ１１４が設けられ、正面部１１０と側面部１３０の境界位置に切欠部Ｋ１１８が設けられているとして説明したが、同様の構成の開口部又は切欠部を側面部１２０と背面部１４０の境界位置や側面部１３０と背面部１４０の境界位置に設けるようにしてもよい。
【００９５】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【実施例２】
【００９６】
次に、実施例２の包装箱について説明する。実施例２の包装箱は、内箱部Ａ１１（図１７参照）と外箱部とを有している。実施例２の包装箱の外箱部は、実施例１の包装箱Ａの外箱部Ａ１と同一の構成である。
【００９７】
実施例２の包装箱における内箱部Ａ１１は、図１７に示すように構成されていて、正面部１０以外は実施例１の内箱部Ａ１と同一の構成である。正面部１０においては、正面本体部１２の突状部（第１突状部）１２−２と当接する突状部が先端部１８に形成されている点が異なる。
【００９８】
正面部１０は、正面本体部１２と、正面本体部１２から折れ線（第１折れ線）Ｃ１２を介して連設された第１前開部１４と、第１前開部１４から折れ線（第２折れ線）Ｃ１４を介して連設された第２前開部１５と、第１前開部１５から折れ線（第３折れ線）Ｃ１５を介して連設された傾斜板部１６と、傾斜板部１６から折れ線（第４折れ線）Ｃ１６を介して連設された先端部１８とを有している。折れ線Ｃ９と折れ線Ｃ１２と折れ線Ｃ１４と折れ線Ｃ１５と折れ線Ｃ１６とが互いに平行となっている。第１前開部１４の折れ線Ｃ１４に沿った辺部が第１辺部となり、第２前開部１５の折れ線Ｃ１５に沿った辺部が第２辺部となり、傾斜板６の折れ線Ｃ１６に沿った辺部が第３辺部となる。
【００９９】
ここで、正面本体部１２の構成は、実施例１の正面本体部１２と同一の構成であり、第１前開部１４の構成は、実施例１の第１前開部１４と同一の構成であり、第２前開部１５の構成は、実施例１の第２前開部１５と同一の構成であるので、詳しい説明を省略する。
【０１００】
また、傾斜板部１６は、略凹状を呈し、長方形状の上側に切欠部Ｋ１６が形成された形状を呈している。つまり、傾斜板部１６に形成された切欠部Ｋ１６は、折れ線Ｃ９と直角方向で互いに平行な一対の辺部と、該一対の辺部の下端間に形成され下方に湾曲した略円弧状の辺部により形成されている。この切欠部Ｋ１６は、正面部を組み立てた際に、被収納物を収納するための開口を形成する切欠部である。
【０１０１】
また、先端部１８は、傾斜板部１６の上辺（第３辺部）から連設され、実施例１の先端部１８と略同様の構成であるが、実施例１の先端部１８のように下端に凹部が形成されているのではなく、折れ線Ｃ１６よりも下方に突出した突状部１８−３が設けられている点が異なる。すなわち、先端部１８は、先端部本体１８−１と、突状部１８−２と、突状部（第２突状部）１８−３とを有し、先端部本体１８−１は、切欠部が形成されていない点を除き実施例１の先端部本体１８−１と同一の構成であり、突状部１８−２は、実施例１の突状部１８−２と同一の構成である。また、突状部１８−３は、先端部本体１８−２の下辺から下方に突出して形成され、横長長方形状の下側の両側の角部にアールを形成した形状となっており、突状部１８−３の下辺（先端側の辺部）は、折れ線Ｃ１２と平行になっている。つまり、突状部１８−３は、折れ線Ｃ１６から高さ方向（下方の高さ方向）に突出して形成されている。
【０１０２】
本実施例の正面部１０は、上記のように構成され、正面部１０には、傾斜板部１６に形成された切欠部Ｋ１６と先端部１８の下辺とにより開口部が形成されている。
【０１０３】
ここで、正面部１０を組み立てた状態では、図１８、図１９に示すように、傾斜板部１６は正面側斜め上方を向いた状態に固定され、傾斜板部１６の方向と水平方向のなす角度αは鋭角となるが、突状部１８−３の折れ線Ｃ１６からの突出長さＷを調整することにより、第１前開部１４における折れ線Ｃ１２と折れ線Ｃ１４間の長さｈ１１、第２前開部１５における折れ線Ｃ１４と折れ線Ｃ１５間の長さｈ１２及び傾斜板部１６における折れ線Ｃ１５と折れ線Ｃ１６間の長さｈ１３はそれぞれ一定であるので、傾斜板部１６の向きを調整することができる。例えば、突状部１８−３の突出長さＷを長くすると、先端部１８における突状部１８−３の先端と切欠部Ｋ１８、Ｋ１９の最奥部間の長さｈ２２が長くなり、その分、角度αが大きくなる。一方、突状部１８−３の突出長さＷを短くすると、先端部１８における突状部１８−３の先端と切欠部Ｋ１８、Ｋ１９の最奥部間の長さｈ２２が短くなり、その分、角度αが小さくなる。よって、傾斜板部１６の角度αを大きくしたい場合には、突状部１８−３の長さを長く形成し、傾斜板部１６の角度αを小さくしたい場合には、突状部１８−３の長さを短く形成しておく。
【０１０４】
実施例２の包装箱の使用状態は、実施例１の包装箱と同様であり、第１前開部１４を正面本体部１２に対して折れ線Ｃ１２を中心に正面側に折曲して回動させ、第２前開部１５を第１前開部１４に対して折れ線Ｃ１４を中心に背面側に折り曲げ（つまり、折れ線Ｃ１４を正面側から見て山折りとする）、さらに、傾斜板部１６を第２前開部１５に対して折れ線Ｃ１５を中心に背面側に折り曲げ（つまり、折れ線Ｃ１５を正面側から見て山折りとする）、その後、第１前開部１４を正面本体部１２に対して折曲することにより正面本体部１２と第１前開部１４間に形成された開口部に先端部１８の突状部１８−２を差し込み、先端部１８の切欠部Ｋ１８を第１前開部１４の切込みＫ１３に係止させるとともに、先端部１８の切欠部Ｋ１９を第１前開部１４の切込みＫ１４に係止させることにより、先端部１８を第１前開部１４と係合させて、図１８に示す状態とする。
【０１０５】
先端部１８が第１前開部１４と係合した状態では、先端部１８の突状部１８−３の先端は、正面本体部１２の突状部１２−２の正面側の面に当接し、傾斜板部１６は、図１８に示すように、傾斜板部１６が正面側斜め上方を向いた状態に固定される。
【０１０６】
また、傾斜板部１６と第２前開部１５と第１前開部１４とで切欠部Ｋ１６により形成された開口部を開口部分とするポケットを構成することができ、該開口部からこのポケットに商品の広告や説明等を記載したカード（被収納物）を収納して使用する。よって、内箱部Ａ１１の正面側に商品の広告や説明等を記載したカードを配置した状態で、被収納物を内箱部Ａ１１に収納した状態で被収納物を陳列することができる。特に、ポケットは正面側に突出して設けられるため、商品を収納した状態の内箱部Ａ１１を棚に置いた状態では、プライスレール（つまり、棚に載置される物の脱落を防止し、値札を設置するためのプライスレール）を正面側に超えて収納部を配置できるので、ポケットに収納されたカードをユーザに気づきやすくして販促効果を高めることができる。
【０１０７】
正面部１０を組み立てた状態では、図１８に示すように、傾斜板部１６は正面側斜め上方を向いた状態に固定されるが、突状部１８−３の長さを傾斜板部１６が所望の向きとなるように形成しておくことにより、傾斜板部１６の向きを所望の向きにすることができ、開口部からポケットに収納されたカードの向きを所望の向きとすることができ、カードの向きをユーザーから見やすい向きにすることができる。また、傾斜板部１６の正面側の面に広告内容を表示した場合でも、ユーザーが広告内容を見やすい向きにすることができる。なお、図１８では、内箱部Ａ１１に収納された商品Ｇは省略して描いている。
【実施例３】
【０１０８】
次に、実施例３の包装箱について、図２０〜図２５を使用して説明する。実施例３の包装箱は、内箱部Ａ１２と外箱部Ａ２２とを有している（図２０参照）。
【０１０９】
ここで、内箱部Ａ１２は、図２１、図２２に示すように構成され、実施例２の内箱部Ａ１と略同様の構成であるが、実施例２の内箱部Ａ１では、正面部１０と背面部４０の横方向の長さが、側面部２０、３０の横方向の長さよりも短いのに対して、実施例３の内箱部Ａ１２においては、正面部１０と背面部４０の横方向の長さが、側面部２０、３０の横方向の長さよりも長く形成され、また、傾斜板部１６の切欠部Ｋ１６は、傾斜板部１６の左右方向の中央ではなく、右側面側に偏心した位置に設けられ、突状部（第２突状部）１８−３も切欠部Ｋ１６が偏心した位置に設けられているのに合わせて右側面側に偏心した位置に形成されている。本実施例においても、突状部１８−３は、折れ線Ｃ１６から高さ方向（下方の高さ方向）に突出して形成され、突状部１８−３の下辺（先端側の辺部）は、折れ線Ｃ１２と平行になっている。
【０１１０】
また、正面部１０と背面部４０の横方向の長さが、側面部２０、３０の横方向の長さよりも長く形成されているのに合わせて、底面部５０においては、第１片部６０は側面部２０から連設され、第２片部７０は正面部１０から連設され、第３片部８０は背面部４０から連設され、第４片部９０は側面部３０から連設されている。また、第１片部６０と第２片部７０と第３片部８０と第４片部９０の各部は、その展開状態においては、図２２に示すように構成され、実施例２における図１７の場合と比べて左右対称に形成されている。なお、先端部７４の上面は、第４片部９０の下面に接着され、また、先端部８４の上面は、第１片部６０の下面に接着されている。
【０１１１】
また、糊代部４２は、実施例２の内箱部Ａ１１と異なり、背面部４０から連設されている。
【０１１２】
内箱部Ａ１２における上記以外の構成は、実施例２の内箱部Ａ１１と同様であるので詳しい説明を省略する。すなわち、特に、正面部１０が、正面本体部１２と、第１前開部１４と、第２前開部１５と、傾斜板部１６と、先端部１８（傾斜板部１６の上辺（第３辺部）から連設されている）とを有し、正面部１０を組み立てた状態では、突状部１８−３の先端が正面本体部１２の突状部（第１突状部）１２−２に当接する構成となっている点は同様である。第１前開部１４の折れ線Ｃ１４に沿った辺部が第１辺部となり、第２前開部１５の折れ線Ｃ１５に沿った辺部が第２辺部となり、傾斜板６の折れ線Ｃ１６に沿った辺部が第３辺部となる。
【０１１３】
また、外箱部Ａ２２は、図２０、図２３に示すように構成され、実施例２の外箱部Ａ２と略同様の構成であるが、実施例２の外箱部Ａ２では、正面部１１０と背面部１４０の横方向の長さが、側面部１２０、１３０の横方向の長さよりも短いのに対して、実施例３の外箱部Ａ２２においては、正面部１１０と背面部１４０の横方向の長さが、側面部１２０、１３０の横方向の長さよりも長く形成されている。
【０１１４】
また、糊代部１４２は、実施例２の外箱部Ａ２と異なり、側面部１２０から連設されている。また、切欠部Ｋ１１８は、正面部１１０と側面部１２０の境界位置に設けられ、開口部Ｋ１１４は、正面部１１０と側面部１３０の境界位置に設けられている。
【０１１５】
外箱部Ａ２２における上記以外の構成は、実施例２の外箱部Ａ２と同様であるので詳しい説明を省略する。すなわち、側面部１２０には、切目線（第２切目線）１２２と切目線１２４ａ、１２４ｂが形成され、また、側面部１３０には、切目線（第２切目線）１３２と切目線１３４ａ、１３４ｂが形成されている。
【０１１６】
実施例３の包装箱の使用状態は、実施例２の包装箱と同様であり、先端部１８を第１前開部１４と係合させて、図２５に示す状態とする。
【０１１７】
先端部１８が第１前開部１４と係合した状態では、先端部１８の突状部１８−３の先端は、正面本体部１２の突状部１２−２の正面側の面に当接し、傾斜板部１６は、図２５に示すように、傾斜板部１６が正面側斜め上方を向いた状態に固定される。
【０１１８】
また、傾斜板部１６と第２前開部１５と第１前開部１４とで切欠部Ｋ１６により形成された開口部を開口部分とするポケットを構成することができ、該開口部からこのポケットに商品の広告や説明等を記載したカード（被収納物）を収納して使用する。よって、内箱部Ａ１２の正面側に商品の広告や説明等を記載したカードを配置した状態で、被収納物を内箱部Ａ１２に収納した状態で被収納物を陳列することができる。特に、ポケットは正面側に突出して設けられるため、商品を収納した状態の内箱部Ａ１２を棚に置いた状態では、プライスレール（つまり、棚に載置される物の脱落を防止し、値札を設置するためのプライスレール）を正面側に超えて収納部を配置できるので、ポケットに収納されたカードをユーザに気づきやすくして販促効果を高めることができる。
【０１１９】
正面部１０を組み立てた状態では、図２５に示すように、傾斜板部１６は正面側斜め上方を向いた状態に固定されるが、突状部１８−３の折れ線Ｃ１６からの突出長さＷを傾斜板部１６が所望の向きとなるように形成しておくことにより、傾斜板部１６の向きを所望の向きにすることができ、開口部からポケットに収納されたカードの向きを所望の向きとすることができ、カードの向きをユーザーから見やすい向きにすることができる。また、傾斜板部１６の正面側の面に広告内容を表示した場合でも、ユーザーが広告内容を見やすい向きにすることができる。なお、図２５では、内箱部Ａ１２に収納された商品Ｇは省略して描いている。
【０１２０】
なお、内箱部Ａ１２は、展開状態では図２２に示すように構成されているが、展開状態において、左右対象の構成としてもよい。
【実施例４】
【０１２１】
次に、実施例４の包装箱について、図２６、図２７を使用して説明する。実施例４の包装箱は、図２６に示す内箱部Ａ１３と外箱部とを有している。実施例４の包装箱の外箱部は、実施例３の包装箱Ａｂの外箱部Ａ２２と同一の構成である。
【０１２２】
本実施例の内箱部Ａ１３は、実施例３の内箱部Ａ１２と略同様の構成であるが、傾斜板部１６には、２つの切欠部Ｋ１６ａ、Ｋ１６ｂが形成されているとともに、折れ線Ｃ１６から下方に突出した突状部（第２突状部）１８−３が２つの切欠部Ｋ１６ａ、Ｋ１６ｂに臨むようにそれぞれ形成されている点が異なる。この切欠部Ｋ１６ａ、Ｋ１６ｂは、テスター（店頭に置いてあるお試し用の見本品（例えば、化粧品の見本品））（被収納物）を収納するためのものである。なお、２つの切欠部Ｋ１６ａ、Ｋ１６ｂの左右方向の形成位置は、傾斜板部１６の左右の端部から均等な位置ではなく、左側面側に偏心した位置に形成されている。
【０１２３】
また、正面本体部１２の突状部１２−２の左右方向の位置も左側面側に偏心した位置に形成され、これに合わせて、切欠部Ｋ１０、Ｋ１１、Ｋ１２、Ｋ１３、Ｋ１４も左側面側に偏心した位置に形成されている。さらに、先端部１８における突状部１８−２やその両側の切欠部Ｋ１８、Ｋ１９も左側面側に偏心した位置に形成されている。本実施例においても、突状部１８−３は、折れ線Ｃ１６から高さ方向（下方の高さ方向）に突出して形成されている。
【０１２４】
本実施例の内箱部Ａ１３における上記以外の構成は、実施例３の内箱部Ａ１２と同様であるので詳しい説明を省略する。すなわち、特に、正面部１０が、正面本体部１２と、第１前開部１４と、第２前開部１５と、傾斜板部１６と、先端部１８（傾斜板部１６の上辺（第３辺部）から連設されている）とを有し、正面部１０を組み立てた状態では、突状部１８−３の先端が正面本体部１２の突状部１２−２に当接する構成となっている点は同様である。第１前開部１４の折れ線Ｃ１４に沿った辺部が第１辺部となり、第２前開部１５の折れ線Ｃ１５に沿った辺部が第２辺部となり、傾斜板６の折れ線Ｃ１６に沿った辺部が第３辺部となる。
【０１２５】
実施例４の包装箱の使用状態は、実施例３の包装箱と同様であり、先端部１８を第１前開部１４と係合させて、図２７に示す状態とする。
【０１２６】
先端部１８が第１前開部１４と係合した状態では、先端部１８の突状部１８−３の先端は、正面本体部１２の突状部（第１突状部）１２−２の正面側の面に当接し、傾斜板部１６は、図２７に示すように、傾斜板部１６が正面側斜め上方を向いた状態に固定される。
【０１２７】
また、傾斜板部１６と第２前開部１５と第１前開部１４とで切欠部Ｋ１６により形成された開口部を開口部分とするポケットを構成することができ、該開口部からこのポケットにテスター（被収納物）を収納して使用する。よって、内箱部Ａ１３の正面側にテスターを配置した状態で、被収納物を内箱部Ａ１３に収納した状態で被収納物を陳列することができる。特に、ポケットは正面側に突出して設けられるため、商品を収納した状態の内箱部Ａ１３を棚に置いた状態では、プライスレール（つまり、棚に載置される物の脱落を防止し、値札を設置するためのプライスレール）を正面側に超えて収納部を配置できるので、ポケットに収納されたテスターをユーザに気づきやすくして販促効果を高めることができる。
【０１２８】
正面部１０を組み立てた状態では、図２７に示すように、傾斜板部１６は正面側斜め上方を向いた状態に固定されるが、突状部１８−３の折れ線Ｃ１６からの突出長さＷを傾斜板部１６が所望の向きとなるように形成しておくことにより、傾斜板部１６の向きを所望の向きにすることができ、開口部からポケットに収納されたテスターの向きを所望の向きとすることができ、テスターの向きをユーザーから見やすい向きにすることができる。また、傾斜板部１６の正面側の面に広告内容を表示した場合でも、ユーザーが広告内容を見やすい向きにすることができる。なお、図２７では、内箱部Ａ１３に収納された商品Ｇは省略して描いている。
【０１２９】
なお、内箱部Ａ１３は、展開状態では図２６に示すように構成されているが、展開状態において、左右対象の構成としてもよい。
【０１３０】
なお、上記各実施例において、係合部として切欠部Ｋ１８、Ｋ１９としたが、切欠部の代わりに上下方向に形成された切込みとしてもよい。
【０１３１】
なお、上記実施例２〜４において、傾斜板部１６には突状部１８−３と隣接した切欠部Ｋ１６が設けられているとしたが、切欠部の代わりに開口部を設けて、その開口部から被収納物を収納するようにしてもよい。また、実施例１において、傾斜板部１６に開口部を設けて、その開口部から被収納物を収納するようにしてもよい。
【０１３２】
なお、上記実施例１〜４において、切込みや切目線を形成する切込みは、シート状のブランクの一方の面から他方の面まで貫通して形成されているものである。
【符号の説明】
【０１３３】
Ａ 包装箱
Ａ１、Ａ１１、Ａ１２、Ａ１３ 内箱部
Ａ２、Ａ２２ 外箱部
５、１０５ スリーブ状部
１０、１１０ 正面部
１２  正面本体部
１２−１  基端部
１２−２  突状部
１４  第１前開部
１５  第２前開部
１６  傾斜板部
１６−１  傾斜板部本体
１６−２  突状部
１８  先端部
１８−１  先端部本体
１８−２、１８−３  突状部
２０、３０、１２０、１３０ 側面部
２２、３２ 本体部
２４、３４ 分離部
４０、１４０ 背面部
４２、１４２ 糊代部
５０ 底面部
６０  第１片部
７０  第２片部
８０  第３片部
９０  第４片部
１２６、１２８、１３６、１３８ 片部
１６０、１７０、１８０、１９０ 上面部
Ｋ１０、Ｋ１１、Ｋ１２、Ｋ１３、Ｋ１４、Ｋ１６  切込み
【図１】
0003179759.tif 000003
【図２】
0003179759.tif 000004
【図３】
0003179759.tif 000005
【図４】
0003179759.tif 000006
【図５】
0003179759.tif 000007
【図６】
0003179759.tif 000008
【図７】
0003179759.tif 000009
【図８】
0003179759.tif 000010
【図９】
0003179759.tif 000011
【図１０】
0003179759.tif 000012
【図１１】
0003179759.tif 000013
【図１２】
0003179759.tif 000014
【図１３】
0003179759.tif 000015
【図１４】
0003179759.tif 000016
【図１５】
0003179759.tif 000017
【図１６】
0003179759.tif 000018
【図１７】
0003179759.tif 000019
【図１８】
0003179759.tif 000020
【図１９】
0003179759.tif 000021
【図２０】
0003179759.tif 000022
【図２１】
0003179759.tif 000023
【図２２】
0003179759.tif 000024
【図２３】
0003179759.tif 000025
【図２４】
0003179759.tif 000026
【図２５】
0003179759.tif 000027
【図２６】
0003179759.tif 000028
【図２７】
0003179759.tif 000029